(57)【要約】【課題】  隣接する一対の表示パネル間における非表示領域を小さくして各表示パネルにより良好な表示を得ることのできる多面表示装置を提供する。【解決手段】  筐体２の隣接する面２ｂ，２ｃ，２ｄに配置された表示パネル４，５，６の互いに隣接する側の各側端部がそれぞれシール材貼着領域４ａ，４ｂ，５ａ，６ｂにおいて所定の角度をもって切断され、かつ、前記所定の角度をもって切断された切断面同士が当接して連接されている。【選択図】      図７
2008089774.tif 000002
【特許請求の範囲】
【請求項１】
２枚の基板をシール材を介して貼着した表示パネルを複数備え、前記複数の表示パネルのうち少なくとも２つの表示パネルが、筐体の隣接する面にそれぞれ配設されている多面表示装置において、
前記筐体の隣接する面に配置された表示パネルの互いに隣接する側の各側端部がそれぞれシール材貼着領域において所定の角度をもって切断され、かつ、前記所定の角度をもって切断された切断面同士が当接して連接されていることを特徴とする多面表示装置。
【請求項２】
各側端部において連接している一対の前記表示パネルの切断された前記側端部の傾斜角度の合計が、これらの表示パネルが配設された前記筐体の隣接する一対の面の連接角度である請求項１に記載の多面表示装置。
【発明の詳細な説明】
【技術分野】
【０００１】
本発明は、複数の表示パネルを所定の角度をもって連設して構成される多面表示装置に係り、特に、隣接する一対の表示パネル間における非表示領域を小さくして各表示パネルにより良好な表示を得ることのできる多面表示装置に関する。
【背景技術】
【０００２】
従来から、複数の表示パネルを備え、各表示パネルにそれぞれ情報を表示することのできる多面表示装置が提案されている。
【０００３】
このような従来の多面表示装置の一例としては、ヒンジ部を介して開閉自在に連結された２つの筐体からなる折畳み式の携帯電話がある。
【０００４】
前記携帯電話の第１の筐体は断面形状が六角形状に形成されており、前記携帯電話を折畳んだ際に内側となる面にメインディスプレイが配設され、このメインディスプレイが配設された面の側方にそれぞれ鈍角の角度で連接された面にはそれぞれサブディスプレイが配設されている。
【０００５】
また、前記第１の筐体には、スピーカと、アンテナとが配設されており、前記アンテナに接続された無線送受信部が内蔵されている。
【０００６】
前記携帯電話の第２の筐体には、複数の操作キーと、マイクとが配設されており、表示や通話の制御などを行う制御回路基板と、電力を供給するバッテリーとが内蔵されている。なお、前記制御回路基板と、前記メインディスプレイおよび前記各サブディスプレイとはそれぞれＴＡＢ（Tape Automated Bonding）基板等のフレキシブル配線基板により接続されている。
【０００７】
そして、前述した構成からなる従来の多面表示装置の一例としての携帯電話において、各ディスプレイの表示としては、例えば、通話時にはメインディスプレイに相手の情報が表示され、一方のサブディスプレイには通話時間、他方のサブディスプレイにはバッテリー残量が表示され、メインディスプレイの表示を確認する際、メインディスプレイに対して鈍角の角度で配設された各サブディスプレイの表示も同時に確認することができるようになっている（例えば、特許文献１参照）。
【０００８】
【特許文献１】特開２００４−４８７８１号公報
【発明の開示】
【発明が解決しようとする課題】
【０００９】
しかしながら、前述した従来の多面表示装置の一例としての携帯電話においては、断面形状を六角形とした筐体の１つの面にメインディスプレイを配設し、このメインディスプレイが配設された面の側方にそれぞれ鈍角の角度で連接された面にそれぞれサブディスプレイを配設した構成としており、各ディスプレイ間に間隙を設ける必要があった。
【００１０】
また、前述した従来の多面表示装置の一例としての携帯電話は、各ディスプレイにそれぞれ異なる情報を表示するものとしており、例えば、すべてのディスプレイにより１つの表示を形成しようとすると、各ディスプレイ間における間隙により表示が分断されている感じが強く、見た目にも良好なものではなかった。
【００１１】
そこで、本発明は、複数の表示パネルを所定の角度をもって連設して構成される多面表示装置において、隣接する一対の表示パネル間の非表示領域を小さくして各表示パネルにおける表示を連続させることができる多面表示装置を提供することを目的とするものである。
【課題を解決するための手段】
【００１２】
前述した目的を達成するため本発明に係る多面表示装置の特徴は、２枚の基板をシール材を介して貼着した表示パネルを複数備え、前記複数の表示パネルのうち少なくとも２つの表示パネルが、筐体の隣接する面にそれぞれ配設されている多面表示装置において、前記筐体の隣接する面に配置された表示パネルの互いに隣接する側の各側端部がそれぞれシール材貼着領域において所定の角度をもって切断され、かつ、前記所定の角度をもって切断された切断面同士が当接して連接されている点にある。
【００１３】
また、本発明に係る多面表示装置の他の特徴は、各側端部において連接している一対の前記表示パネルの切断された前記側端部の傾斜角度の合計が、これらの表示パネルが配設された前記筐体の隣接する一対の面の連設角度である点にある。
【００１４】
このような構成を採用したことにより、例えば、矩形の筐体の隣接する面にそれぞれ表示パネルを配設する際、各表示パネルの連接する側端部をシール材貼着領域においてそれぞれ４５°の角度に切断することにより、各表示パネルをシール材貼着領域において９０°の角度に重ね合わせることが可能となり、従来のように、隣接する一対の表示パネル間に間隙を設ける必要がなくなる。そして、２つの表示パネルが近接しているので、これら２つの表示パネルにより１つの表示を形成したり、２つの表示パネルにおいてスクロール表示させたとしても、ほとんど間隙のない良好な表示を得ることができる。
【発明の効果】
【００１５】
本発明の多面表示装置によれば、１つの筐体の隣接する面にそれぞれ連接させて表示パネルを配設した際に、各表示パネルの側端部を各シール材貼着領域内において重ね合わせることができ、各表示パネル間にほとんど間隙のない良好な表示を得ることができる。
【発明を実施するための最良の形態】
【００１６】
以下、本発明に係る多面表示装置を図面に示す実施形態により説明する。なお、本実施形態では多面表示装置として携帯電話を一例に説明する。
【００１７】
図１は本実施形態の多面表示装置としての携帯電話の実施形態を示す概略斜視図、図２は図１の多面表示装置の構成を示すブロック図、図３は本実施形態のメインディスプレイの構成を示す概略図であり（ａ）は正面図で（ｂ）は上面図、図４乃至図６は本実施形態のサブディスプレイの構成を示す概略図であり（ａ）は正面図で（ｂ）は上面図、図７は連接されたサブディスプレイのみを示す概略斜視図、図８は本発明に係る多面表示装置の他の形態を示す要部概略図である。
【００１８】
本実施形態の多面表示装置１は、図１および図２に示すように、ほぼ矩形の筐体２の前面２ａにメインディスプレイとしての液晶表示パネル３を備えており、また、上面２ｂおよび側面２ｃ，２ｄにそれぞれサブディスプレイとしての液晶表示パネル４，５，６とを備えている。
【００１９】
一方、前記筐体２の前面２ａの上部には、スピーカ２１が配設されており、前面２ａの前記液晶表示パネル３の下方には、複数の操作キーからなる操作部２２と、マイク２３とが配設されている。
【００２０】
また、前記筐体２内には、アンテナ２５が接続された無線通信部２４と、制御部２６と、バッテリ２７とが内蔵されており、前記各液晶表示パネル３，４，５，６と前記制御部２６とは、それぞれＴＡＢ基板２８ａ，２８ｂ，２８ｃ，２８ｄにより接続されている。なお、前記筐体２の背面には、前記バッテリ２７に充電を行うための充電端子（図示せず）が配設されている。
【００２１】
前記液晶表示パネル３は、図３に示すように、フロント基板７およびリア基板８がシール材９を介して貼り合わされ、前記シール材９の内側となる両基板７，８間に液晶１０が封入されて構成されている。
【００２２】
また、前記液晶表示パネル３のリア基板８には、前記フロント基板７よりも側方に張り出した張出部８ａが連設されており、この張出部８ａに形成された電極端子部１１には前記ＴＡＢ基板２８ａの一端が接続され、このＴＡＢ基板２８ａの他端は前記制御部２６と接続されている。
【００２３】
前記液晶表示パネル４は、図４に示すように、前記液晶表示パネル３と同様にフロント基板１２およびリア基板１３がシール材９を介して貼り合わされ、前記シール材９の内側となる両基板１２，１３間に液晶１０が封入されて構成されている。
【００２４】
また、前記液晶表示パネル４のリア基板１３には、前記フロント基板１２よりも側方に張り出した張出部１３ａが連接されており、この張出部１３ａに形成された電極端子部１４には前記ＴＡＢ基板２８ｂの一端が接続され、このＴＡＢ基板２８ｂの他端は前記制御部２６に接続されている。
【００２５】
そして、本実施形態のサブディスプレイとしての液晶表示パネル４は、両側端部のシール材貼着領域４ａ，４ｂにおいて、前記リア基板１３側から４５°の角度で前記フロント基板１２および前記リア基板１３の一部が切除されている。なお、前記液晶表示パネル４の切断方法としては、例えばダイサー式切断機などを用いて切断し、後述する液晶表示パネル５，６においても同様の方法により切断するものとする。
【００２６】
前記液晶表示パネル５は、図５に示すように、前記各液晶表示パネル３，４と同様に、フロント基板１５およびリア基板１６がシール材９を介して貼り合わされ、前記シール材９の内側となる両基板１５，１６間に液晶１０が封入されて構成されている。
【００２７】
また、前記液晶表示パネル５のリア基板１６には、前記フロント基板１５よりも側方に張り出した張出部１６ａが連接されており、この張出部１６ａに形成された電極端子部１７には前記ＴＡＢ基板２８ｃの一端が接続され、このＴＡＢ基板２８ｃの他端は前記制御部２６に接続されている。
【００２８】
そして、本実施形態のサブディスプレイとしての液晶表示パネル５は、両側端部のシール材貼着領域５ａ，５ｂのうちの一方（本実施形態においてはシール材貼着領域５ａ）において、前記リア基板１６側から４５°の角度で前記フロント基板１５および前記リア基板１６の一部が切除されている。
【００２９】
前記液晶表示パネル６は、図６に示すように、前記各液晶表示パネル３，４，５と同様に、フロント基板１８およびリア基板１９がシール材９を介して貼り合わされ、前記シール材９の内側となる両基板１８，１９間に液晶１０が封入されて構成されている。
【００３０】
また、前記液晶表示パネル６のリア基板１９には、前記フロント基板１８よりも側方に張り出した張出部１９ａが連接されており、この張出部１９ａに形成された電極端子部２０には前記ＴＡＢ基板２８ｄの一端が接続され、このＴＡＢ基板２８ｄの他端は前記制御部２６に接続されている。
【００３１】
そして、本実施形態のサブディスプレイとしての液晶表示パネル６は、両側端部のシール材貼着領域６ａ，６ｂのうちの一方（本実施形態においてはシール材貼着領域６ｂ）において、前記リア基板１９側から４５°の角度で前記フロント基板１８および前記リア基板１９の一部が切除されている。
【００３２】
そして、前記液晶表示パネル４のシール材貼着領域４ｂの切断された端面と前記液晶表示パネル５のシール材貼着領域５ａの切断された端面とを当接させるとともに、前記液晶表示パネル４のシール材貼着領域４ａの切断された端面と前記液晶表示パネル６のシール材貼着領域６ｂの切断された端面とを当接させることにより、図７に示すように、各液晶表示パネル４，５，６がコ字形状に連接される。
【００３３】
そこで、前記液晶表示パネル４を前記筐体２の上面２ｂに、前記液晶表示パネル５を前記筐体２の側面２ｃに、前記液晶表示パネル６を前記筐体２の側面２ｄにそれぞれ位置させて配設することにより、本実施形態の多面表示装置１が形成される。
【００３４】
前述した構成からなる本実施形態の多面表示装置１によれば、筐体２のそれぞれ隣接する上面２ｂ、側面２ｃおよび側面２ｄにそれぞれ配設された各液晶表示パネル４，５，６が、各シール材貼着領域４ａ，４ｂ，５ａ，６ｂの一部をそれぞれ４５°の角度で切除することにより各側端部が４５°の角度で傾斜されているので、各シール材貼着領域４ａ，４ｂ，５ａ，６ｂにおいて各液晶表示パネル４，５，６をコ字形状に連接させることができる。
【００３５】
そして、前記各液晶表示パネル４，５，６は各シール材貼着領域４ａ，４ｂ，５ａ，６ｂにおいて連接されているので、液晶表示パネル４，５間および液晶表示パネル４，６間における間隙（非表示領域）が各シール材貼着領域４ａ，４ｂ，５ａ，６ｂの幅のみと非常に小さくなり、各液晶表示パネル４，５，６によりスクロール表示をさせたり、１つの表示を形成したりしたときに非常に良好な表示を得ることができる。
【００３６】
なお、本実施形態においては、多面表示装置１として携帯電話にサブディスプレイとして液晶表示パネル４，５，６を連接させた構成としており、各液晶表示パネル４，５，６における表示としては、例えば、着信番号表示や、ニュースや天気予報といった文字情報などをスクロール表示させるものである。
【００３７】
また、本実施形態において、各液晶表示パネル４，５，６の各シール材貼着領域４ａ，４ｂ，５ａ，６ｂをそれぞれ４５°の角度で切除しているが、これに限定されるものではなく、３つの液晶表示パネル４，５，６をコ字形状に連接する場合、連接される一対の端面の傾斜角度の合計が９０°になるようにすればよい。例えば、液晶表示パネル４の各シール材貼着領域４ａ，４ｂをリア基板１３側から６０°の角度で切除して液晶表示パネル４の両側端部の端面の傾斜角度を３０°とし、液晶表示パネル５のシール材貼着領域５ａおよび液晶表示パネル６のシール材貼着領域６ｂをそれぞれリア基板１６，１９側から３０°の角度で切除して各液晶表示パネル５，６の側端部の端面の傾斜角度を６０°としたとしても、各液晶表示パネル４，５，６をコ字形状に連接させることができる。ただし、各液晶表示パネルの側端部の一部を切除する際、液晶表示パネルを構成する一対の基板を貼着しているシール材９の一部も同時に切除されてしまい、その結果、各基板の貼着性が低下してしまうので、好ましくは、連接される一対の液晶表示パネルの対向する側端部の端面の傾斜角度を、一対の液晶表示パネルを連接させる角度のほぼ２分の１の角度になるようにして切除するほうがよい。
【００３８】
つぎに、本発明の他の形態である多面表示装置３１は、図８に示すように、５つの液晶表示パネル３２，３３，３４，３５，３６を備えており、前記各液晶表示パネル３２，３３，３４，３５，３６はそれぞれ１３５°の角度で連接されている。このとき、各液晶表示パネル３２，３３，３４，３５，３６の側端部の切断された端面の傾斜角度の一例としては、液晶表示パネル３２のシール材貼着領域３２ａが６５°、液晶表示パネル３３のシール材貼着領域３３ａ，３３ｂが７０°、液晶表示パネル３４のシール材貼着領域３４ａ，３４ｂが６５°、液晶表示パネル３５のシール材貼着領域３５ａ，３５ｂが７０°、液晶表示パネル３６のシール材貼着領域３６ｂが６５°とされている。
【００３９】
このように、各液晶表示パネルの側端部をシール材貼着領域において様々な角度で切断することにより、複数の液晶表示パネルを多角面に連接することができる。さらに、各液晶表示パネルがシール材貼着領域において連接されるので、各液晶表示パネル間の間隙を小さくして良好な表示を得ることができる。
【００４０】
なお、本発明は、前述した実施の形態に限定されるものではなく、必要に応じて種々の変更が可能である。例えば、本実施の形態において、表示パネルを液晶表示パネルとしたが、有機ＥＬ表示パネルやプラズマ表示パネルであってもよい。
【図面の簡単な説明】
【００４１】
【図１】本実施形態の多面表示装置としての携帯電話の実施形態を示す概略斜視図
【図２】図１の多面表示装置の構成を示すブロック図
【図３】本実施形態のメインディスプレイの構成を示す（ａ）は概略正面図、（ｂ）は概略上面図
【図４】本実施形態のサブディスプレイの構成を示す（ａ）は概略正面図、（ｂ）は概略上面図
【図５】本実施形態のサブディスプレイの構成を示す（ａ）は概略正面図、（ｂ）は概略上面図
【図６】本実施形態のサブディスプレイの構成を示す（ａ）は概略正面図、（ｂ）は概略上面図
【図７】連接されたサブディスプレイのみを示す概略斜視図
【図８】本発明に係る多面表示装置の他の形態を示す要部概略図
【符号の説明】
【００４２】
１  多面表示装置
２  筐体
３  液晶表示パネル
４  液晶表示パネル
５  液晶表示パネル
６  液晶表示パネル
７  フロント基板
８  リア基板
９  シール材
１０  液晶
１１  電極端子部
１２  フロント基板
１３  リア基板
１４  電極端子部
１５  フロント基板
１６  リア基板
１７  電極端子部
１８  フロント基板
１９  リア基板
２０  電極端子部
２１  スピーカ
２２  操作部
２３  マイク
２４  無線通信部
２５  アンテナ
２６  制御部
２７  バッテリ
２８ａ，２８ｂ，２８ｃ，２８ｄ  ＴＡＢ基板
３１  多面表示装置
３２  液晶表示パネル
３３  液晶表示パネル
３４  液晶表示パネル
３５  液晶表示パネル
３６  液晶表示パネル
【図１】
2008089774.tif 000003
【図２】
2008089774.tif 000004
【図３】
2008089774.tif 000005
【図４】
2008089774.tif 000006
【図５】
2008089774.tif 000007
【図６】
2008089774.tif 000008
【図７】
2008089774.tif 000009
【図８】
2008089774.tif 000010